【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
表示データを表示する表示手段と、前記表示手段を照明する照明手段とを備える表示装置において、
前記照明手段を少なくとも点灯又は消灯するように制御する制御手段と、
前記表示手段に、前記照明手段の点灯時には第１の表示データを表示し、前記照明手段の消灯時には前記第１の表示データよりも色階調の少ない第２の表示データを表示するように制御する表示制御手段とを備えることを特徴とする表示装置。
【請求項２】
表示データを表示する表示手段と、前記表示手段を照明する照明手段とを備える表示装置において、
前記照明手段を少なくとも点灯又は消灯するように制御する制御手段と、
前記表示手段に、前記照明手段の点灯時には第１の表示データを表示し、前記照明手段の消灯時には前記第１の表示データよりも背景色と文字との輝度の差が大きい第２の表示データを表示するように制御する表示制御手段とを備えることを特徴とする表示装置。
【請求項３】
表示データを表示する表示手段と、前記表示手段を照明する照明手段とを備える表示装置において、
前記照明手段を少なくとも点灯または消灯するように制御する制御手段と、
前記表示手段に、前記照明手段の点灯時には第１の表示データを表示し、前記照明手段の消灯時には前記第１の表示データよりも表示される項目の数が少ない第２の表示データを表示するように制御する表示制御手段とを備えることを特徴とする表示装置。
【請求項４】
表示データを表示する表示手段と、前記表示手段を照明する照明手段とを備える表示装置において、
前記照明手段を少なくとも点灯または消灯するように制御する制御手段と、
前記表示手段に、前記照明手段の点灯時には第１の表示項目を含む第１の表示データを表示し、前記照明手段の消灯時には、前記第１の表示項目に対応する内容を表し、前記第１の表示項目よりも表示サイズが大きい第２の表示項目を含む第２の表示データを表示するように制御する表示制御手段とを備えることを特徴とする表示装置。
【請求項５】
前記表示制御手段は、前記第１の表示データと前記第２の表示データとで異なる色パレットを用いるように制御することを特徴とする請求項１乃至４のいずれか１項に記載の表示装置。
【請求項６】
前記第２の表示データは、前記第１の表示データよりも色階調が少ないことを特徴とする請求項２乃至４のいずれか１項に記載の表示装置。
【請求項７】
前記第２の表示データは、前記第１の表示データよりも背景色と文字との輝度の差が大きいことを特徴とする請求項１、３又は４に記載の表示装置。
【請求項８】
前記第２の表示データは、前記第１の表示データよりも表示される項目の数が少ないことを特徴とする請求項１、２又は４に記載の表示装置。
【請求項９】
前記第２の表示データに含まれる第２の表示項目は、前記第１の表示データに含まれ、前記第２の表示項目に対応する内容を表す第１の表示項目よりも、表示サイズが大きいことを特徴とする請求項１乃至３のいずれか１項に記載の表示装置。
【請求項１０】
表示データを表示する表示手段と、前記表示手段を照明する照明手段とを備える表示装置において、
前記照明手段の点灯時の輝度を多段階に変更するよう制御する制御手段と、
前記表示手段に、前記照明手段の輝度に応じてそれぞれ異なる表示データを表示するように制御する表示制御手段とを備えることを特徴とする表示装置。
【請求項１１】
前記表示装置は、撮像手段を有する撮像装置の表示装置であることを特徴とする請求項１乃至１０のいずれか１項の表示装置。
【請求項１２】
表示データを表示手段に表示する表示ステップと、前記表示手段を照明手段によって照明する照明ステップとを備える表示方法において、
前記照明手段を少なくとも点灯又は消灯するように制御する制御ステップと、
前記表示手段に、前記照明手段の点灯時には第１の表示データを表示し、前記照明手段の消灯時には前記第１の表示データよりも色階調の少ない第２の表示データを表示するように制御する表示制御ステップとを備えることを特徴とする表示方法。
【請求項１３】
表示データを表示手段に表示する表示ステップと、前記表示手段を照明手段によって照明する照明ステップとを備える表示方法において、
前記照明手段の点灯時の輝度を多段階に変更するよう制御する制御ステップと、
前記表示手段に、前記照明手段の輝度に応じてそれぞれ異なる表示データを表示するように制御する表示制御ステップとを備えることを特徴とする表示方法。
【請求項１４】
表示データを表示手段に表示する表示ステップと、前記表示手段を照明手段によって照明する照明ステップとを備える表示方法をコンピュータに実行させるプログラムであって、
前記表示方法は、
前記照明手段を少なくとも点灯又は消灯するように制御する制御ステップと、
前記表示手段に、前記照明手段の点灯時には第１の表示データを表示し、前記照明手段の消灯時には前記第１の表示データよりも色階調の少ない第２の表示データを表示するように制御する表示制御ステップとを備えることを特徴とするプログラム。
【請求項１５】
表示データを表示手段に表示する表示ステップと、前記表示手段を照明手段によって照明する照明ステップとを備える表示方法をコンピュータに実行させるプログラムであって、
前記表示方法は、
前記照明手段の点灯時の輝度を多段階に変更するよう制御する制御ステップと、
前記表示手段に、前記照明手段の輝度に応じてそれぞれ異なる表示データを表示するように制御する表示制御ステップとを備えることを特徴とするプログラム。
【請求項１６】
請求項１４記載のプログラムを格納することを特徴とするコンピュータで読み取り可能な記憶媒体。
【請求項１７】
請求項１５記載のプログラムを格納することを特徴とするコンピュータで読み取り可能な記憶媒体。
【手続補正２】
【補正対象書類名】明細書
【補正対象項目名】発明の名称
【補正方法】変更
【補正の内容】
【発明の名称】表示装置及び表示方法、並びにプログラム及び記憶媒体
【手続補正３】
【補正対象書類名】明細書
【補正対象項目名】０００１
【補正方法】変更
【補正の内容】
【０００１】
本発明は、表示装置及び表示方法、並びにプログラム及び記憶媒体に関し、特に、バックライト照明型の液晶表示素子に対する表示機能を用いた表示装置及び表示方法、並びにプログラム及び記憶媒体に関する。
【手続補正４】
【補正対象書類名】明細書
【補正対象項目名】０００７
【補正方法】変更
【補正の内容】
【０００７】
本発明の目的は、バックライト照明の消灯時にも視認性及び表示品位を維持することができる表示装置及び表示方法、並びにプログラム及び記憶媒体を提供することにある。
【手続補正５】
【補正対象書類名】明細書
【補正対象項目名】０００８
【補正方法】変更
【補正の内容】
【０００８】
上述の目的を達成するために、本発明の表示装置は、表示データを表示する表示手段と、前記表示手段を照明する照明手段とを備える表示装置において、前記照明手段を少なくとも点灯又は消灯するように制御する制御手段と、前記表示手段に、前記照明手段の点灯時には第１の表示データを表示し、前記照明手段の消灯時には前記第１の表示データよりも色階調の少ない第２の表示データを表示するように制御する表示制御手段とを備えることを特徴とする。
また、本発明の表示装置は、表示データを表示する表示手段と、前記表示手段を照明する照明手段とを備える表示装置において、前記照明手段を少なくとも点灯又は消灯するように制御する制御手段と、前記表示手段に、前記照明手段の点灯時には第１の表示データを表示し、前記照明手段の消灯時には前記第１の表示データよりも背景色と文字との輝度の差が大きい第２の表示データを表示するように制御する表示制御手段とを備えることを特徴とする。
また、本発明の表示装置は、表示データを表示する表示手段と、前記表示手段を照明する照明手段とを備える表示装置において、前記照明手段を少なくとも点灯または消灯するように制御する制御手段と、前記表示手段に、前記照明手段の点灯時には第１の表示データを表示し、前記照明手段の消灯時には前記第１の表示データよりも表示される項目の数が少ない第２の表示データを表示するように制御する表示制御手段とを備えることを特徴とする。
また、本発明の表示装置は、表示データを表示する表示手段と、前記表示手段を照明する照明手段とを備える表示装置において、前記照明手段を少なくとも点灯または消灯するように制御する制御手段と、前記表示手段に、前記照明手段の点灯時には第１の表示項目を含む第１の表示データを表示し、前記照明手段の消灯時には、前記第１の表示項目に対応する内容を表し、前記第１の表示項目よりも表示サイズが大きい第２の表示項目を含む第２の表示データを表示するように制御する表示制御手段とを備えることを特徴とする。
また、本発明の表示装置は、表示データを表示する表示手段と、前記表示手段を照明する照明手段とを備える表示装置において、前記照明手段の点灯時の輝度を多段階に変更するよう制御する制御手段と、前記表示手段に、前記照明手段の輝度に応じてそれぞれ異なる表示データを表示するように制御する表示制御手段とを備えることを特徴とする。
【手続補正６】
【補正対象書類名】明細書
【補正対象項目名】０００９
【補正方法】変更
【補正の内容】
【０００９】
上述の目的を達成するために、本発明の表示方法は、表示データを表示手段に表示する表示ステップと、前記表示手段を照明手段によって照明する照明ステップとを備える表示方法において、前記照明手段を少なくとも点灯又は消灯するように制御する制御ステップと、前記表示手段に、前記照明手段の点灯時には第１の表示データを表示し、前記照明手段の消灯時には前記第１の表示データよりも色階調の少ない第２の表示データを表示するように制御する表示制御ステップとを備えることを特徴とする。
また、本発明の表示方法は、表示データを表示手段に表示する表示ステップと、前記表示手段を照明手段によって照明する照明ステップとを備える表示方法において、前記照明手段の点灯時の輝度を多段階に変更するよう制御する制御ステップと、前記表示手段に、前記照明手段の輝度に応じてそれぞれ異なる表示データを表示するように制御する表示制御ステップとを備えることを特徴とする。
【手続補正７】
【補正対象書類名】明細書
【補正対象項目名】００１０
【補正方法】変更
【補正の内容】
【００１０】
上述の目的を達成するために、本発明のプログラムは、表示データを表示手段に表示する表示ステップと、前記表示手段を照明手段によって照明する照明ステップとを備える表示方法をコンピュータに実行させるプログラムであって、前記表示方法は、前記照明手段を少なくとも点灯又は消灯するように制御する制御ステップと、前記表示手段に、前記照明手段の点灯時には第１の表示データを表示し、前記照明手段の消灯時には前記第１の表示データよりも色階調の少ない第２の表示データを表示するように制御する表示制御ステップとを備えることを特徴とする。
また、本発明のプログラムは、表示データを表示手段に表示する表示ステップと、前記表示手段を照明手段によって照明する照明ステップとを備える表示方法をコンピュータに実行させるプログラムであって、前記表示方法は、前記照明手段の点灯時の輝度を多段階に変更するよう制御する制御ステップと、前記表示手段に、前記照明手段の輝度に応じてそれぞれ異なる表示データを表示するように制御する表示制御ステップとを備えることを特徴とする。
上述の目的を達成するために、本発明のコンピュータで読み取り可能な記憶媒体は、請求項１４記載のプログラムを格納することを特徴とする。
また、本発明のコンピュータで読み取り可能な記憶媒体は、請求項１５記載のプログラムを格納することを特徴とする。